(57)【要約】【課題】大きい曲率でも湾曲可能で、所望の方向に湾曲させることができる表面循環装置を提供する。【解決手段】袋状体１１が、トーラスを中心軸に沿って細長くした形状を成している。支持手段１２が、袋状体１１の外側面の全体または一部区間が、円筒を蛇腹折りして所定の長さまで短くしたときの形状を成すよう、蛇腹折りの山部に対応する複数の支持位置で袋状体１１を支持可能に設けられている。駆動手段１３が、袋状体１１の外側面および内側面を互いに反対方向に移動させると共に、袋状体１１の両端部でそれぞれ、袋状体１１の外側面を内側面に、または、内側面を外側面に移動させるよう設けられている。湾曲操作手段１４が、隣り合う支持位置同士の間隔を変更することにより、蛇腹折りの区間をいずれかの方向に湾曲させるよう設けられている。【選択図】図１
2020189499.tif 000002
【特許請求の範囲】
【請求項１】
トーラスを中心軸に沿って細長くした形状を成し、内部に収納空間を有する袋状体と、
前記袋状体の外側面の全体または前記中心軸に沿った一部区間が、円筒を蛇腹折りして前記中心軸に沿って所定の長さまで短くしたときの形状を成すよう、前記蛇腹折りの山部に対応する複数の支持位置で前記袋状体を支持可能、かつ、各支持位置が前記中心軸方向で隣り合う支持位置との間隔を変更可能に、前記収納空間に設けられた支持手段と、
前記袋状体の外側面および内側面を、前記中心軸方向に沿って互いに反対方向に移動させると共に、前記袋状体の両端部でそれぞれ、前記袋状体の外側面を内側面に、または、前記袋状体の内側面を外側面に移動させるよう、前記収納空間に設けられた駆動手段と、
前記中心軸方向で隣り合う支持位置同士の間隔を変更することにより、前記蛇腹折りの区間を前記中心軸に対していずれかの方向に湾曲させるよう、前記収納空間に設けられた湾曲操作手段とを、
有していることを特徴とする表面循環装置。
【請求項２】
前記蛇腹折りの区間は、前記中心軸方向からの正面視で、外側の形状が略２×ｎ角形（ただし、ｎは３以上の整数）であることを特徴とする請求項１記載の表面循環装置。
【請求項３】
前記袋状体は、非伸縮性または難伸縮性の柔軟な素材から成ることを特徴とする請求項１または２記載の表面循環装置。
【請求項４】
前記支持手段は、前記中心軸方向に沿った前記袋状体の外側面の移動により回転するよう、前記中心軸方向に沿って回転可能かつ前記袋状体を支持可能に各支持位置に設けられた回転ローラを有していることを特徴とする請求項１乃至３のいずれか１項に記載の表面循環装置。
【請求項５】
前記湾曲操作手段は、前記蛇腹折りの区間を湾曲させるとき、その湾曲の内側になる範囲で、前記中心軸方向で隣り合う支持位置同士の間隔を狭める構成、および／または、前記湾曲の外側になる範囲で、前記中心軸方向で隣り合う支持位置同士の間隔を拡げる構成を有していることを特徴とする請求項１乃至４のいずれか１項に記載の表面循環装置。
【請求項６】
前記支持手段は、前記袋状体の前記蛇腹折りの区間の複数の内側位置で前記袋状体を支持可能、かつ、各内側位置が前記中心軸方向で隣り合う内側位置との間隔を変更可能であり、前記中心軸方向に沿った前記袋状体の内側面の移動により回転するよう、前記中心軸方向に沿って回転可能かつ前記袋状体を支持可能に各内側位置に設けられた内側ローラを有していることを特徴とする請求項１乃至４のいずれか１項に記載の表面循環装置。
【請求項７】
前記湾曲操作手段は、前記蛇腹折りの区間を湾曲させるとき、その湾曲の内側になる範囲で、前記中心軸方向で隣り合う支持位置同士および内側位置同士の間隔を狭める構成、ならびに／または、前記湾曲の外側になる範囲で、前記中心軸方向で隣り合う支持位置同士および内側位置同士の間隔を拡げる構成を有していることを特徴とする請求項６記載の表面循環装置。
【発明の詳細な説明】
【技術分野】
【０００１】
本発明は、表面循環装置に関する。
【背景技術】
【０００２】
従来、本発明者等により、トーラスを中心軸に沿って細長くした形状を有し、トーラスの外側面および内側面の表面が循環する袋状の移動体が開発されているが（例えば、非特許文献１参照）、このような移動体では、中心軸方向への直進しかできないため、その進行方向を変えるために、先端や胴体を能動的に湾曲させる機構の開発が行われている。その湾曲機構として、例えば、移動体の中心軸に対して片側の空気圧を高めることにより湾曲させるもの（例えば、非特許文献２または３参照）や、移動体の中心軸を中心として所定の角度間隔で、長さ方向に伸びるよう取り付けられた複数のワイヤのうち、所望のワイヤを引くことにより湾曲させるもの（例えば、非特許文献４または５参照）が提案されている。
【０００３】
なお、従来、円筒体を蛇腹折りすることにより、円筒体を折り畳んで縮めたり、円筒状に展開したりすることができる構造が提案されている（例えば、特許文献１乃至３参照）。
【先行技術文献】
【非特許文献】
【０００４】
【非特許文献１】K. Tadakuma, H. Ogata, R. Tadakuma, J. Berengueres, “Torus omnidirectional driving unit mechanism realized by curved crawler belts”, 2014 IEEE International Conference on Robotics and Automation (ICRA), May 2014, p.2567
【非特許文献２】H. Tsukagoshi, N. Arai, I. Kiryu, A. Kitagawa, “Tip Growing Actuator with the Hose-shaped Structure Aiming for Inspection on Narrow Terrain”, International Journal of Automation Technology, 2011, Vol.5, No.4, p.516-522
【非特許文献３】中村知行、塚越秀行、「人体荷重下を無摺動で滑り込むSlip-in マニピュレータの提案」、日本機械学会ロボティクス・メカトロニクス講演会2016、2016年、2A1-04a6
【非特許文献４】Kim, Y., Cheng, S., Kim, S., Iagnemma, K., “Design of a Tubular Snake-like Manipulator with Stiffening Capability by Layer Jamming”, Proceedings of the IEEE International Conference on Robots and Systems, 2012
【非特許文献５】Laura H. Blumenschein, Lucia T. Gan, Jonathan A. Fan, Allison M. Okamura, Elliot W. Hawkes, “A Tip-Extending Soft Robot Enables Reconfigurable and Deployable Antennas”, IEEE Robotics and Automation Letters, April 2018, Vol. 3, No. 2, p.949-956
【特許文献】
【０００５】
【特許文献１】特開平１１−２２３２９９号公報
【特許文献２】特開２００３−１２８０４１号公報
【特許文献３】特開２０１５−０３３７７２号公報
【発明の概要】
【発明が解決しようとする課題】
【０００６】
非特許文献２または３に記載の空気圧を利用する湾曲機構では、移動体内部の空気圧の差が大きくなると前進しにくくなるため、大きい曲率で湾曲させるのは困難であるという課題があった。また、移動体のあらかじめ決めた領域でしか空気圧の増減を行うことができないため、湾曲方向が限定されてしまい、それ以外の所望の方向に湾曲させることはできないという課題があった。非特許文献４または５に記載のワイヤの牽引による湾曲機構では、所望の方向に湾曲させることはできるが、移動体の側面の伸縮には限界があるため、やはり大きい曲率で湾曲させるのは困難であるという課題があった。
【０００７】
本発明は、このような課題に着目してなされたもので、大きい曲率でも湾曲可能で、所望の方向に湾曲させることができる表面循環装置を提供することを目的とする。
【課題を解決するための手段】
【０００８】
上記目的を達成するために、本発明に係る表面循環装置は、トーラスを中心軸に沿って細長くした形状を成し、内部に収納空間を有する袋状体と、前記袋状体の外側面の全体または前記中心軸に沿った一部区間が、円筒を蛇腹折りして前記中心軸に沿って所定の長さまで短くしたときの形状を成すよう、前記蛇腹折りの山部に対応する複数の支持位置で前記袋状体を支持可能、かつ、各支持位置が前記中心軸方向で隣り合う支持位置との間隔を変更可能に、前記収納空間に設けられた支持手段と、前記袋状体の外側面および内側面を、前記中心軸方向に沿って互いに反対方向に移動させると共に、前記袋状体の両端部でそれぞれ、前記袋状体の外側面を内側面に、または、前記袋状体の内側面を外側面に移動させるよう、前記収納空間に設けられた駆動手段と、前記中心軸方向で隣り合う支持位置同士の間隔を変更することにより、前記蛇腹折りの区間を前記中心軸に対していずれかの方向に湾曲させるよう、前記収納空間に設けられた湾曲操作手段とを、有していることを特徴とする。
【０００９】
本発明に係る表面循環装置は、駆動手段で、袋状体の外側面および内側面を、中心軸方向に沿って互いに反対方向に移動させると共に、袋状体の両端部でそれぞれ、袋状体の外側面を内側面に、または、袋状体の内側面を外側面に移動させることにより、袋状体の表面、すなわち袋状体の外側面および内側面を循環させることができる。これにより、本発明に係る表面循環装置は、移動体として使用するとき、袋状体の外側面が接する設置面に対して、袋状体の外側面の移動方向とは反対側に向かって移動することができる。また、本発明に係る表面循環装置は、湾曲操作手段により、袋状体の蛇腹折りの区間を所望の方向に湾曲させることができるため、移動体として使用するときには、所望の方向に進行方向を変えることができる。また、湾曲させる区間が蛇腹折り構造であるため、大きい曲率でも湾曲させることができる。
【００１０】
本発明に係る表面循環装置は、湾曲させる区間が円筒を蛇腹折りした形状を成しているため、円筒形状を成し、駆動手段で移動する袋状体の外側面を、容易に蛇腹折り形状に変形することができる。円筒を蛇腹折りした形状は、例えば、特許文献１乃至３に記載の形状など、いかなる形状であってもよいが、中心軸周りの回転を伴わずに、中心軸方向に沿って伸縮する形状であることが好ましい。本発明に係る表面循環装置は、袋状体の外側面および内側面の表面の循環を利用して、移動体や搬送装置などとして利用することができる。
【００１１】
本発明に係る表面循環装置で、前記蛇腹折りの区間は、前記中心軸方向からの正面視で、外側の形状が略２×ｎ角形（ただし、ｎは３以上の整数）であることが好ましく、特に略八角形であることが好ましい。この場合、支持手段などの構造を、比較的簡単に構成することができる。
【００１２】
本発明に係る表面循環装置で、前記袋状体は、非伸縮性または難伸縮性の柔軟な素材から成ることが好ましい。この場合、柔軟な素材から成るため、蛇腹折り形状への変形や、外側面から内側面への移動時および内側面から外側面への移動時の変形、外部環境との接触時の変形が、容易かつスムーズである。また、非伸縮性または難伸縮性であるため、支持手段や接触時の外部環境に余分な力がかかりにくい。袋状体は、例えば、ウレタン製のシートで形成されている。
【００１３】
本発明に係る表面循環装置で、前記支持手段は、前記中心軸方向に沿った前記袋状体の外側面の移動により回転するよう、前記中心軸方向に沿って回転可能かつ前記袋状体を支持可能に各支持位置に設けられた回転ローラを有していることが好ましい。この場合、回転ローラの回転により、袋状体の外側面をスムーズに移動させることができる。
【００１４】
本発明に係る表面循環装置で、前記湾曲操作手段は、前記蛇腹折りの区間を湾曲させるとき、その湾曲の内側になる範囲で、前記中心軸方向で隣り合う支持位置同士の間隔を狭める構成、および／または、前記湾曲の外側になる範囲で、前記中心軸方向で隣り合う支持位置同士の間隔を拡げる構成を有していることが好ましい。この場合、蛇腹折りの区間を容易に湾曲させることができる。湾曲操作手段は、いかなる構成で支持位置同士の間隔を変更してもよく、例えば、ワイヤを引くことにより、支持位置同士の間隔を狭めるよう構成されていてもよい。
【００１５】
本発明に係る表面循環装置で、前記支持手段は、前記袋状体の前記蛇腹折りの区間の複数の内側位置で前記袋状体を支持可能、かつ、各内側位置が前記中心軸方向で隣り合う内側位置との間隔を変更可能であり、前記中心軸方向に沿った前記袋状体の内側面の移動により回転するよう、前記中心軸方向に沿って回転可能かつ前記袋状体を支持可能に各内側位置に設けられた内側ローラを有していてもよい。この場合、内側ローラの回転により、袋状体の内側面をスムーズに移動させることができる。内側ローラと回転ローラとを組み合わせることにより、袋状体をよりスムーズに移動させることができる。
【００１６】
また、この場合、前記湾曲操作手段は、前記蛇腹折りの区間を湾曲させるとき、その湾曲の内側になる範囲で、前記中心軸方向で隣り合う支持位置同士および内側位置同士の間隔を狭める構成、ならびに／または、前記湾曲の外側になる範囲で、前記中心軸方向で隣り合う支持位置同士および内側位置同士の間隔を拡げる構成を有していることが好ましい。この場合、蛇腹折りの区間を容易に湾曲させることができる。湾曲操作手段は、いかなる構成で支持位置同士および内側位置同士の間隔を変更してもよく、例えば、ワイヤを引くことにより、支持位置同士および内側位置同士の間隔を狭めるよう構成されていてもよい。
【発明の効果】
【００１７】
本発明によれば、大きい曲率でも湾曲可能で、所望の方向に湾曲させることができる表面循環装置を提供することができる。
【図面の簡単な説明】
【００１８】
【図１】本発明の実施の形態の表面循環装置の、袋状体の内部を透視した（ａ）平面図、（ｂ）側面図、（ｃ）正面図である。
【図２】本発明の実施の形態の表面循環装置の、袋状体を取り除いた状態の（ａ）平面図、（ｂ）側面図、（ｃ）正面図である。
【図３】本発明の実施の形態の表面循環装置の、袋状体を取り除いた状態の斜視図である。
【図４】本発明の実施の形態の表面循環装置の、蛇腹折りの区間を湾曲させた使用状態を示す平面図である。
【発明を実施するための形態】
【００１９】
以下、図面に基づいて、本発明の実施の形態について説明する。
図１乃至図４は、本発明の実施の形態の表面循環装置を示している。
図１乃至図３に示すように、表面循環装置１０は、細長く、長さ方向に沿った中心軸に対して垂直な上下方向および左右方向で対称な形状を成している。表面循環装置１０は、袋状体１１と支持手段１２と駆動手段１３と湾曲操作手段１４とを有している。
【００２０】
図１に示すように、袋状体１１は、非伸縮性または難伸縮性の柔軟な素材から成るシートを、トーラスを中心軸に沿って細長くした形状に形成して成り、内部に収納空間１１ａを有している。具体的な一例では、袋状体１１は、ウレタン製のシートで形成されている。
【００２１】
図１乃至図３に示すように、支持手段１２は、複数の矩形枠体２１と、複数の回転ローラ２２と、複数の内側ローラ２３と、中央支持体２４と、１対の端部支持体２５とを有している。支持手段１２は、表面循環装置１０の両端部に各端部支持体２５が配置され、表面循環装置１０の中央部に、各端部支持体２５との間に間隔をあけて中央支持体２４が配置され、中央支持体２４と各端部支持体２５との間に、それぞれ複数の矩形枠体２１が配置されている。
【００２２】
各矩形枠体２１は、細長い矩形状の枠体であり、中央支持体２４と各端部支持体２５との間でそれぞれ、矩形枠を含む面が表面循環装置１０の中心軸に対して垂直になるよう、所定の間隔をあけて配置されている。また、各矩形枠体２１は、表面循環装置１０の中心軸が矩形枠の中心を通るよう配置されている。各矩形枠体２１は、各長辺および各短辺が表面循環装置１０の上下方向または左右方向に平行になると共に、各長辺の伸長方向が、隣り合う矩形枠体２１の各短辺の伸長方向と平行を成すよう、隣り合う矩形枠体２１が表面循環装置１０の中心軸を中心として９０度ずれた状態で配置されている。各矩形枠体２１は、隣り合う矩形枠体２１との間隔を一定に保つよう、一定の長さの４つのコイルバネ２６により隣り合う矩形枠体２１と連結されている。各コイルバネ２６は、表面循環装置１０の中心軸方向から各矩形枠体２１を正面視したときに、各矩形枠体２１の内側に形成される正方形の４つの角に対応する位置に取り付けられている。なお、具体的な一例では、矩形枠体２１は、中央支持体２４と各端部支持体２５との間に、それぞれ６つずつ配置されている。
【００２３】
各回転ローラ２２は、各矩形枠体２１の１対の短辺の外側に、その短辺に沿った軸を中心として回転するよう設けられている。これにより、各回転ローラ２２は、表面循環装置１０の中心軸方向に沿って回転可能になっている。各内側ローラ２３は、各矩形枠体２１の１対の長辺の中心部に、その長辺を中心として回転するよう設けられている。これにより、各内側ローラ２３は、表面循環装置１０の中心軸方向に沿って回転可能になっている。
【００２４】
中央支持体２４は、表面循環装置１０の両端側に配置された各矩形枠体２１のうち、最も表面循環装置１０の中央部側に配置された矩形枠体２１同士を連結するよう設けられている。中央支持体２４は、枠状を成し、連結した各矩形枠体２１の外形を結んで形成される立体の内側に配置されている。中央支持体２４は、表面循環装置１０の中心軸から所定の距離の範囲が中空となるよう設けられている。
【００２５】
各端部支持体２５は、表面循環装置１０の両端側に配置された各矩形枠体２１のうち、最も表面循環装置１０の端部側に配置された矩形枠体２１から、表面循環装置１０の両端に向かってさらに伸びるよう設けられている。各端部支持体２５は、枠状を成し、最も表面循環装置１０の端部側に配置された矩形枠体２１の外形を表面循環装置１０の両端に向かって延長した立体の内側に配置されている。各端部支持体２５は、表面循環装置１０の各端部の上部および下部に設けられたカバー２５ａを有している。各端部支持体２５は、表面循環装置１０の中心軸から所定の距離の範囲が中空となるよう設けられている。
【００２６】
駆動手段１３は、１対から成り、各端部支持体２５の上部および下部のカバー２５ａの間にそれぞれ取り付けられている。各駆動手段１３は、１対の円柱ローラ３１と１対の駆動モータ３２と１対の駆動用回転伝達部３３とを有している。１対の円柱ローラ３１は、表面循環装置１０の先端に、表面循環装置１０の上下方向の軸を中心として回転可能に、表面循環装置１０の左右方向に間隔を開けて並んで配置されている。１対の駆動モータ３２は、各円柱ローラ３１に対応して設けられ、表面循環装置１０の中央部寄りに、表面循環装置１０の左右方向に並んで配置されている。
【００２７】
１対の駆動用回転伝達部３３は、対応する各円柱ローラ３１と各駆動モータ３２との間にそれぞれ配置され、各駆動モータ３２の回転を、対応する各円柱ローラ３１に伝達して、各円柱ローラ３１を回転するよう設けられている。具体的な一例では、各駆動用回転伝達部３３は、かさ歯車を利用して回転を伝達するよう構成されている。各駆動手段１３は、各円柱ローラ３１が互いに反対方向に回転するよう構成されている。
【００２８】
湾曲操作手段１４は、８組から成り、中央支持体２４に取り付けられている。各湾曲操作手段１４は、ワイヤ４１とリール４２と巻取モータ４３と巻取用回転伝達部４４とを有している。各湾曲操作手段１４のワイヤ４１は、中央支持体２４から各端部支持体２５に向かって４本ずつ設けられている。各ワイヤ４１は、隣り合う各矩形枠体２１を連結する各コイルバネ２６の中を通って、それぞれ中央支持体２４から各端部支持体２５に向かって伸びるよう設けられている。各ワイヤ４１は、各端部支持体２５の側の先端が、最も表面循環装置１０の端部側に配置された矩形枠体２１に固定されている。
【００２９】
各リール４２は、各ワイヤ４１に対応して設けられ、各ワイヤ４１の中央支持体２４の側の端部が巻き付けられている。各巻取モータ４３は、各リール４２に対応して設けられ、中央支持体２４の中央部に配置されている。各巻取用回転伝達部４４は、対応する各リール４２と各巻取モータ４３との間にそれぞれ配置され、各巻取モータ４３の回転を、対応する各リール４２に伝達して、各ワイヤ４１を巻き取ったり繰り出したりするよう設けられている。具体的な一例では、各巻取用回転伝達部４４は、かさ歯車および平歯車を利用して回転を伝達するよう構成されている。これにより、各湾曲操作手段１４は、中央支持体２４から各端部支持体２５の間のそれぞれ４つの位置で、互いに独立して、各矩形枠体２１の間隔を狭めたり拡げたりするよう構成されている。
【００３０】
図１に示すように、表面循環装置１０は、袋状体１１の内部の収納空間１１ａに、支持手段１２、駆動手段１３および湾曲操作手段１４が配置されている。袋状体１１は、中央支持体２４から各矩形枠体２１および一方の端部支持体２５の外側を覆い、一方の端部支持体２５の側の１対の円柱ローラ３１の間を通って、一方の端部支持体２５の中空部、各矩形枠体２１の内側、中央支持体２４の中空部、各矩形枠体２１の内側および他方の端部支持体２５の中空部を通り、さらに、他方の端部支持体２５の側の１対の円柱ローラ３１の間を通って、他方の端部支持体２５、各矩形枠体２１および中央支持体２４の外側を覆うよう設けられている。袋状体１１は、表面循環装置１０の長さ方向およびその垂直方向でシートが余らない大きさを有し、ほぼ支持手段１２の外形に沿って設けられている。
【００３１】
これにより、表面循環装置１０は、中央支持体２４から各端部支持体２５の間の区間の袋状体１１が、円筒を蛇腹折りして表面循環装置１０の中心軸に沿って所定の長さまで短くしたときの形状を成すよう構成されている。具体的な一例では、図１（ｃ）に示すように、蛇腹折りの区間は、表面循環装置１０の中心軸方向からの正面視で、外側の形状が略八角形となっているが、略２×ｎ角形（ただし、ｎは３以上の整数）となるよう構成されていてもよい。
【００３２】
支持手段１２は、蛇腹折りの山部に対応する複数の支持位置、および、複数の内側位置で、袋状体１１を支持している。各支持位置は、各矩形枠体２１の１対の短辺に対応しており、各回転ローラ２２が設けられている。各内側位置は、各矩形枠体２１の１対の長辺の中央部に対応しており、各内側ローラ２３が設けられている。表面循環装置１０は、支持手段１２の各回転ローラ２２を袋状体１１に押し付けることにより、蛇腹折りの区間が形成されている。
【００３３】
各駆動手段１３は、各駆動モータ３２により各円柱ローラ３１を回転させることにより、袋状体１１の外側面および内側面を、表面循環装置１０の中心軸方向に沿って互いに反対方向に移動させると共に、袋状体１１の両端部でそれぞれ、袋状体１１の外側面を内側面に、または、袋状体１１の内側面を外側面に移動させるよう構成されている。このとき、支持手段１２は、袋状体１１の外側面の移動により各回転ローラ２２が回転し、袋状体１１の内側面の移動により各内側ローラ２３が回転するよう構成されている。
【００３４】
図４に示すように、各湾曲操作手段１４は、１または複数のワイヤ４１を巻き取り、表面循環装置１０の中心軸方向で隣り合う各矩形枠体２１同士の間隔、すなわち、表面循環装置１０の中心軸方向で隣り合う支持位置同士および内側位置同士の間隔を狭めることにより、蛇腹折りの区間を表面循環装置１０の中心軸に対して所望の方向に湾曲させるよう構成されている。各湾曲操作手段１４は、蛇腹折りの区間を湾曲させるとき、その湾曲の内側になる範囲で、表面循環装置１０の中心軸方向で隣り合う各矩形枠体２１同士の間隔を狭めるよう構成されている。なお、各湾曲操作手段１４は、湾曲の外側になる範囲では、ワイヤ４１の長さを維持するよう構成されている。また、各湾曲操作手段１４は、巻き取ったワイヤ４１を繰り出すことにより、コイルバネ２６の復元力で各矩形枠体２１同士の間隔が拡がり、湾曲が元に戻るよう構成されている。
【００３５】
なお、表面循環装置１０は、２つの蛇腹折りの区間をそれぞれ独立に所望の方向に湾曲可能であり、図４に示すように、全体がＳ字形の形状を成すよう２つの蛇腹折りの区間を逆方向に湾曲させるだけでなく、２つの蛇腹折りの区間を同じ方向に湾曲させたり、いずれか一方の蛇腹折りの区間のみを湾曲させたりすることもできるよう構成されている。また、図４に示すように、表面循環装置１０は、背中合わせに配置された各巻取モータ４３を、互いの間隔を広げて配置し、中央支持体２４で支持する中央部の長さをより長く構成してもよい。
【００３６】
次に、作用について説明する。
表面循環装置１０は、各駆動手段１３で、袋状体１１の外側面および内側面を、中心軸方向に沿って互いに反対方向に移動させると共に、袋状体１１の両端部でそれぞれ、袋状体１１の外側面を内側面に、または、袋状体１１の内側面を外側面に移動させることにより、袋状体１１の表面、すなわち袋状体１１の外側面および内側面を循環させることができる。これにより、表面循環装置１０は、移動体として使用するとき、袋状体１１の外側面が接する設置面に対して、袋状体１１の外側面の移動方向とは反対側に向かって移動することができる。また、表面循環装置１０は、各湾曲操作手段１４により、袋状体１１の蛇腹折りの区間を所望の方向に湾曲させることができるため、移動体として使用するときには、所望の方向に進行方向を変えることができる。また、湾曲させる区間が蛇腹折り構造であるため、大きい曲率でも湾曲させることができる。
【００３７】
表面循環装置１０は、湾曲させる区間が円筒を蛇腹折りした形状を成しているため、円筒形状を成し、各駆動手段１３で移動する袋状体１１の外側面を、容易に蛇腹折り形状に変形することができる。表面循環装置１０は、袋状体１１が柔軟な素材から成るため、蛇腹折り形状への変形や、外側面から内側面への移動時および内側面から外側面への移動時の変形、外部環境との接触時の変形が、容易かつスムーズである。また、袋状体１１が非伸縮性または難伸縮性であるため、支持手段１２や接触時の外部環境に余分な力がかかりにくい。
【００３８】
表面循環装置１０は、各回転ローラ２２および各内側ローラ２３の回転により、袋状体１１の外側面および内側面をスムーズに移動させることができる。また、表面循環装置１０は、蛇腹折りの区間を湾曲したときでも、蛇腹折りの区間の袋状体１１が各回転ローラ２２および各内側ローラ２３のみに接触している。このため、湾曲するときの各矩形枠体２１の移動をスムーズに行うことができる。また、湾曲した状態での袋状体１１の外側面および内側面の移動もスムーズに行うことができる。表面循環装置１０は、袋状体１１の外側面および内側面の表面の循環を利用して、移動体や搬送装置などとして利用することができる。
【００３９】
なお、各回転ローラ２２は、各矩形枠体２１の１対の短辺の外側に、各矩形枠体２１の各長辺の伸長方向に沿って所定の範囲で往復移動可能、かつ、その範囲内で各矩形枠体２１の遠方側に付勢された状態で設けられていてもよい。この場合、蛇腹折りの山部が外部環境と接触した時の衝撃を、各回転ローラ２２の往復移動により吸収することができ、表面循環装置１０が破損するのを防ぐと共に、外部環境への影響を抑えることもできる。
【符号の説明】
【００４０】
１０  表面循環装置
１１  袋状体
１１ａ  収納空間
１２  支持手段
２１  矩形枠体
２２  回転ローラ
２３  内側ローラ
２４  中央支持体
２５  端部支持体
２５ａ  カバー
２６  コイルバネ
１３  駆動手段
３１  円柱ローラ
３２  駆動モータ
３３  駆動用回転伝達部
１４  湾曲操作手段
４１  ワイヤ
４２  リール
４３  巻取モータ
４４  巻取用回転伝達部
【図１】
2020189499.tif 000003
【図２】
2020189499.tif 000004
【図３】
2020189499.tif 000005
【図４】
2020189499.tif 000006